(57)【要約】【課題】  建物の外壁から突出した排水管と建物外面に沿って設けられた竪樋とを接続する排水管の接続具について、コストを低廉としながら建物の美観を損なわないものとする。【解決手段】  排水管末端部３ａに嵌合する横向き開口端１１ａおよび竪樋基端部５ａに嵌合する下向き開口端１１ｂを有する略直角のエルボ１１と、エルボ１１による排水管の接続構造を側方からの目視を遮るように覆って外壁２側に固定される所定形状のカバー体７とを備えている、排水管の接続具１０Ａとした。【選択図】      図１
0003115293.tif 000002
【実用新案登録請求の範囲】
【請求項１】
建物外壁から略水平方向に突出する排水管と建物外面に沿って鉛直方向に設けられた竪樋とを接続する排水管の接続具において、
前記排水管末端部に嵌合する横向き開口端および前記竪樋基端部に嵌合する下向き開口端を有する略直角のエルボと、該エルボによる排水管の接続構造を側方からの目視を遮るように覆った状態で前記建物外壁側に固定される所定形状のカバー体とを備えている、
ことを特徴とする排水管の接続具。
【請求項２】
前記エルボの下向き開口端と前記竪樋基端部との間に、上側開口端の内径が前記エルボの下向き開口端の外径よりも大きく下側開口端が前記竪樋基端部に嵌合する上下異径の接続部材が介装され、前記エルボの下向き開口端外周面と前記接続部材の上側開口端内周面との間に所定の隙間を有し前記接続部材内側が外側と連通する、
ことを特徴とする請求項１に記載した排水管の接続具。
【請求項３】
前記接続部材は、内側最狭部の内径が前記竪樋の内径および前記エルボの下向き開口端の内径と同等以上の径を有しているとともに、中心軸線が前記エルボの下向き開口端の中心軸線と略一致する、ことを特徴とする請求項２に記載した排水管の接続具。
【請求項４】
前記カバー体は、一枚の板状部材が左右両側を内側に屈曲され、左右両端側が前記建物外壁側に固定されて少なくとも下側に開放部を有する、ことを特徴とする請求項１，２または３に記載した排水管の接続具。
【請求項５】
前記板状部材は、薄板鋼板であることを特徴とする請求項４に記載した排水管の接続具。
【考案の詳細な説明】
【技術分野】
【０００１】
本考案は、建物の屋上やバルコニー等に降った雨水を集め外壁を水平方向に貫いて建物外部に導く排水管と建物外面に沿って鉛直方向に設けられた竪樋とを接続するための接続具に関し、殊に、配設することにより建物の美観を損なわない排水管の接続具に関する。
【背景技術】
【０００２】
ビルディング等の非木造建物においては、屋上やバルコニーに降った雨水はドレン等の集水手段で集められ、外壁を貫通する排水管を介して建物外面に設けた竪樋に流入させて地上側の排水手段に排水させるのが一般的である。この場合、排水管は水平方向に配設されているのに対し竪樋は鉛直方向に配設されており、これらはエルボ等の直角方向の接続具を用いて接続することができる。
【０００３】
しかし、エルボのような配管用接続具で接続する場合は、建物の外面にこれがそのまま露出してしまうため、デザイン性を重視する建物にあってはその美観を損ないやすい点が問題となる。また、エルボは直角方向の接続であるのに対し、実際の排水管は排水性確保等の観点から下向きに傾斜していることが多く、直角のエルボで鉛直方向の竪樋に接続する場合は、竪樋を撓らせたり接続部を斜めに削ったりする対応が必要となり、施工に手間とコストを要する結果となってしまう。さらに、集中豪雨時など、竪樋の排水能力を超えた雨水が流入してオーバーフローとなった場合、エルボによる水密性の接続では過剰な水量を竪樋外側に逃がすことができない。
【０００４】
これに対し、実公平６−２２０２６号公報や特開２００５―１４６６３７号公報に記載されているように、竪樋の外径よりも大きな内径を備えた略円筒状の枡本体の側方から排水管を挿入し、竪樋を底壁側接続孔に嵌挿して接続する構造として、排水管から流入した雨水を一端溜めて竪樋に流すようにした排水枡が広く用いられている。
【０００５】
斯かる排水枡は、排水管の先端を枡本体に直接固定するものではないため、排水管が多少傾斜していても鉛直方向の竪樋に容易に接続することができる。また、枡本体が外観デザインの自由度が高く、建物の美観を損ないにくい点を特徴としている。
【０００６】
さらに、雨水のオーバーフロー時には、枡本体上端側から雨水を逃がす構造を有しており、殊に、特開２０００―２８２６３４号公報等に記載され枡本体の上端よりも下位置の側面に排出孔を設けた排水枡は、オーバーフロー時の対応力に優れている。
【０００７】
斯かる排水枡を、排水管と竪樋との接続に用いることで建物の美観を維持しやすいことに加え、排水管の多少の傾斜にも対応可能となるとともに雨水のオーバーフロー時にも十分な排水機能を発揮することができる。しかしながら、これら雨水用の排水枡は、エルボのような単純な接続具と比べて構成が複雑で比較的高価であることから、施工コストの高騰に繋がりやすい点が問題となっている。
【特許文献１】実公平６−２２０２６号公報
【特許文献２】特開２００５―１４６６３７号公報
【特許文献３】特開２０００―２８２６３４号公報
【考案の開示】
【考案が解決しようとする課題】
【０００８】
本考案は、上記のような問題点を解決しようとするものであり、建物の外壁から突出した排水管と建物外面に沿って鉛直方向に設けられた竪樋とを接続する排水管の接続具について、コストを低廉としながら建物の美観を損なわないものとすることを課題とする。
【課題を解決するための手段】
【０００９】
そこで、本考案は、建物外壁から略水平方向に突出する排水管と建物外面に沿って鉛直方向に設けられた竪樋とを接続する排水管の接続具について、排水管末端部に嵌合する横向き開口端および竪樋基端部に嵌合する下向き開口端を有する略直角のエルボと、このエルボによる排水管の接続構造を側方からの目視を遮るように覆った状態で建物外壁側に固定される所定形状のカバー体とを備えたものとした。
【００１０】
このように、直角のエルボとこれによる排水管の接続構造を覆うカバー体とからなる比較的簡易な構成の接続具としたことで、略水平方向の排水管末端部と鉛直方向の竪樋基端部とを、簡易な手順で接続可能とするとともに美観面で難点のあるエルボによる接続構造を覆い隠すことができるため、施工コストの低廉化を実現しながら建物の美観を損なわないものとすることができる。
【００１１】
また、このエルボの下向き開口端と竪樋基端部との間に、上側開口端の内径がエルボの下向き開口端の外径よりも大きく下側開口端が竪樋基端部に嵌合する上下異径の接続部材を介装し、エルボの下向き開口端外周面と接続部材の上側開口端内周面との間に所定の隙間を有して接続部材の内側が外側と連通するものとした。
【００１２】
これにより、排水管に多少の傾斜があっても、エルボの下向き開口端外周面と接続部材の上側開口端内周面との隙間の存在により挿入可能となって、接続作業が容易且つ低コストとなるとともに、雨水のオーバーフロー時に余分な流量をこの隙間から竪樋外側に逃がすことができるようになる。
【００１３】
さらに、この接続部材を設けた排水管の接続具において、接続部材をその内側最狭部の内径が竪樋の内径およびエルボの下向き開口端の内径と同等以上の径を有するとともに、中心軸線がエルボの下向き開口端の中心軸線と略一致するものとすれば、排水管からの排水がスムースに竪樋に流入しやすいものとなって、オーバーフロー時を除き隙間から排水が漏れにくいものとなる。
【００１４】
さらにまた、上述した排水管の接続具において、そのカバー体を、一枚の板状部材が左右両側を内側に屈曲され、その左右両端側が建物外壁側に固定されて少なくとも下側に開放部を有するものとすれば、オーバーフロー時の排水経路を確保しながらカバー体の構成を簡易とするとともに取付け作業を容易化することができるため、施工コストを一層低廉に抑えることが可能となる。
【００１５】
加えて、この板状部材に薄板鋼板を用いれば、加工容易であることに加え堅牢なものとなって、維持コストも低廉に抑えることができる。
【考案の効果】
【００１６】
排水管と竪樋とをエルボを介して接続するとともにその接続構造をカバー体で覆うものとした本考案によると、コストを低廉としながら建物の美観を損なわないものとすることができる。
【考案を実施するための最良の形態】
【００１７】
以下に、図面を参照しながら本考案を実施するための最良の形態を説明する。尚、本考案において薄板鋼板とは、厚さ０．２ｍｍ乃至１ｍｍ未満の鋼板を指すものとする。
【００１８】
図１および図２は、本考案における第一の実施の形態であって、接続具１０Ａにより排水管３と竪樋５とを接続した状態の縦断面図を示している。図１を参照して、排水管３がコンクリート製の外壁２を水平に貫通し排水管末端部３ａを建物外面に対し直角に突出して配置され、竪樋５がブラケット６により外壁２表面に沿って鉛直方向に固定されている。
【００１９】
接続具１０Ａは、横向き開口端１１ａと下向き開口端１１ｂとを備えた直角のエルボ１１で排水管３と竪樋５とを接続するとともに、取付部材８ａ，８ｂを介してカバー体７を外壁２側に固定することでエルボ１１による排水管の接続構造を側方からの目視を遮るように覆ってなるものである。
【００２０】
排水管３と竪樋５は、外径および内径がほぼ同一であり、これらを接続するエルボ１１の内径も同一であるとともに接続方向が直角であることから、エルボ１１は一般的な配管接続用のものを用いることができ、接続に要する施工の手間およびコストを極めて低廉に抑えることができる。そして、図１に示すように、排水管３の内径、エルボ１１の内径、竪樋５の内径が略同一でその中心軸線が連続しているため、集められた雨水が下方向にスムースに排水されるようになっている。
【００２１】
しかし、エルボ１１による排水管３と竪樋５との接続構造は外観的に難点があるものであり、このままでは建物の美観を損なうことになる。そこで、本考案において図２（Ａ）の正面図および図２（Ｂ）の平面図に示すように、所定の厚さの薄板鋼板を長方形にカットして縦向きにしたものを、その左右両側を水平方向に内側に屈曲して平面視上向きコ字状として上下側が開放された形状のカバー部材７とし、その左右両端側を外壁２側に固定することにより、側方から接続構造を目視できない状態とした点を特徴としている。
【００２２】
これにより、排水管３と竪樋５との接続構造が排水枡を用いるのと同様に建物の美観を損なわないものとなり、カバー部材７のデザインによっては建物の美観を向上させることも可能となる。そして、斯かるカバー部材７は、所定形状にカットして縦方向とした薄板鋼板の左右両側を水平方向に屈曲するだけの簡易な構成であって、複雑な形状を有する排水枡と比べて製造コストを低廉に抑えることができる。
【００２３】
また、図２（Ｃ）のカバー部材７を外した状態の正面図に示すように、外壁２に複数のネジ５２で固定された取付部材８ａ，８ｂの各ボルト孔５０に、ボルト５１を用いて容易に取付けることができるため、施工の手間およびコストを低廉に抑えることができる。尚、カバー部材７を構成する薄板鋼板としては、表面に光沢を有して錆にくいガルバリウム鋼板（溶融アルミ亜鉛合金めっき鋼板）が、美観面およびコスト面において優れている。
【００２４】
次に、図３乃至図５を参照して、本考案における第二の実施の形態について説明する。本実施の形態における接続具１０Ｂは、エルボ１１の下向き開口端１１ｂと竪樋基端部と５ａとの間に、上下異径の接続部材１２を設けている点を特徴とする。
【００２５】
接続部材１２は、上側開口端１２ａの内径がエルボ１１の下向き開口端１１ｂの外径よりも大きく下側開口端１２ｂが竪樋基端部５ａに嵌合する上下異径の管状部材であり、その上側開口端１２ａの内周面とエルボ１１の下向き開口端１１ｂ外周面との間に隙間ａを有して内側と外側とが連通した状態で挿入したものとして、エルボ１１と竪樋５とを接続するようになっている。
【００２６】
このように簡易な構成からなる上下異径の接続部材１２を、エルボ１１と竪樋５との間に介在させたことで、雨水の流量が竪樋５の排水能力を超えるオーバーフロー時においても、エルボ１１の下向き開口端１１ｂ外周面と接続部材１２の上側開口端１２ａ内周面との隙間ａから余分な流量が外部に排出され、竪樋５の表面を伝って地上側に排水されるものとなり、施工コストの過剰な高騰を招くことなく建物の屋上やバルコニー等に雨水が溜まるトラブルを回避できるものである。
【００２７】
また、斯かる接続部材１２を用いたことで、図５に示すように排水管３に傾斜があって竪樋５との接続角度が９０度にならない場合においても、隙間ａ部分でその角度差を容易に吸収することができるため、嵌合部分を削ること等による手間の増加や施工コストの高騰を招くことがない。
【００２８】
また、本実施の形態においては、斯かる排水管の接続構造を覆い隠すためのカバー体７を外壁２側に取付けるための取付部材８ｃを備えており、図４のカバー体７を外した状態の正面図に示すように、方形状の薄板鋼板の左右両端側を起立させて取付リブ８２ａ，８２ｂとするとともに、排水管３を通すためのＵ字状の切り込み８１を備えて複数のネジ５２で外壁２に固定するものとしている。これにより、カバー体７を外壁２側に堅固に取付けることが容易になるとともに、隙間ａから噴出した雨水により外壁２表面が汚れるのを回避することもできる。
【００２９】
尚、カバー体は、上述した平面視上向コ字状で外観が角柱状のものに限らず、平面視Ｖ字状や平面視Ｕ字状、或いは正面視扇状等、接続部分を側方から目視不能に覆い隠すものであれば、様々なデザインを採用して美観に優れたものとすることができる。また、これを構成する素材は薄板鋼板に限定されないとともに、表面に色彩や模様、或いは防錆加工や防汚加工等を施したものであってもよい。さらに、その上下端側が開放されたものに限らず、例えば蓋状の上面を設けて内部を暗くすることで配水管の接続構造を下方向から目視しにくくした構成としてもよい。
【図面の簡単な説明】
【００３０】
【図１】本考案の第一の実施の形態を示す縦断面図。
【図２】（Ａ）は図１の接続具の正面図、（Ｂ）はその平面図、（Ｃ）はそのカバー体を外した状態の正面図。
【図３】本考案の第二の実施の形態を示す縦断面図。
【図４】図３の接続具においてカバー体を外した状態の正面図。
【図５】図３の接続具において排水管が傾斜している場合の接続状態を示す縦断面図。
【符号の説明】
【００３１】
２  外壁、３  排水管、３ａ  排水管末端部、５  竪樋、５ａ  竪樋基端部、６  ブラケット、７  カバー体、８ａ，８ｂ，８ｃ  取付部材、１０Ａ，１０Ｂ  接続具、１１  エルボ、１１ａ  横向き開口端、１１ｂ  下向き開口端、１２  接続部材、１２ａ  上側開口端、１２ｂ  下側開口端
【図１】
0003115293.tif 000003
【図２】
0003115293.tif 000004
【図３】
0003115293.tif 000005
【図４】
0003115293.tif 000006
【図５】
0003115293.tif 000007